(57)【特許請求の範囲】
【請求項１】
床スラブの上方位置に離間して配設した床材の床下地材を載置して釘等の固着具で固定する床受け材と、上記床受け材を載置して支持した弾性材と、床スラブに立設してその上端で上記弾性材を支持した脚部とでなる二重床の支持脚において、弾性材の上部に床受け材を乾式の嵌め込み構造で嵌合固定させる上嵌合部を設けると共に、弾性材の下部に脚部の上端を乾式の嵌め込み構造で嵌合固定させる下嵌合部を設け、これら上下嵌合部に床受け材及び脚部の上端をスライド挿入可能にする側方開口をそれぞれ形成したことを特徴とする二重床の支持脚。
【請求項２】
上嵌合部に嵌合した床受け材を上下に挟持する上挟持片が弾性材の上面に設けられると共に、下嵌合部に嵌合した脚部の上端を上下に挟持する下挟持片が弾性材の下面に設けられたことを特徴とする請求項１に記載の二重床の支持脚。
【請求項３】
弾性材の上嵌合部には床受け材を載置して弾接させる突起を複数個設けると共に、上記突起の突出高さに高低の寸法変化をつけたことを特徴とする請求項１に記載の二重床の支持脚。
【請求項４】
弾性材をその縦断面を一定形状に形成したことを特徴とする請求項１に記載の二重床の支持脚。
【請求項５】
床受け材の上下両面に突出高さを違えた突部をそれぞれ設けると共に、上嵌合部に上記突部のいずれをも位置させ得る凹没高さを有した凹条部を設けたことを特徴とする請求項１に記載の二重床の支持脚。
【発明の詳細な説明】
【０００１】
【発明の属する技術分野】
本発明は、床スラブの上方位置に離間して床材を配設してなる２重床の上記床材の床下地材を支持する支持脚に関する発明である。
【０００２】
【従来の技術】
従来から、床スラブ５との間に床下空間１８を形成させるように床スラブ５の上方位置に離間して床材６を配設した二重床にあって、上記床材６の床下地材７を支持する支持脚１は、図１２に示すように、上記床下地材７を載置して釘等の固着具８で固定する床受け材３と、上記床受け材３を載置して支持した弾性材２と、床スラブ５から立設してその上端で上記弾性材２を支持した脚部４とで構成されている。ここで、脚部４は、内筒２０が外筒２１に上下動自在に嵌め込まれると共に高さ調節ピン２７が備えられており、高さ方向への寸法設定が自在に行い得るようになっている。また、床受け材３と弾性材２、及び、脚部４の上端を構成した水平板片１９と弾性材２は、それぞれ湿式の接着剤で接着されて固定されている。
【０００３】
【発明が解決しようとする課題】
支持脚１を組立てるにあたっては、上述したように床受け材３と弾性材２及び脚部４の水平板片１９と弾性材２をそれぞれ湿式の接着剤で固着させるものであるが、接着剤を塗布させる作業や乾燥させる作業は煩雑な作業であることから、支持脚１の組立性は悪いものであり、また、上記支持脚１を用いて二重床を施工するにあたっては、床受け材３と弾性体との固着後には床受け材３の取替は不可能であって床下地材７の高さ設定が脚部４の高さ設定でのみ行うしかないものであるから、施工性が悪いといった問題があった。
【０００４】
本発明は上記の点に鑑みてなされたものであり、支持脚の組立て性を良好にすると共に二重床を施工する施工性を良好にする二重床の支持脚を提供することを課題とするものである。
【０００５】
【課題を解決するための手段】
上記課題を解決するために本発明に係る二重床の支持脚は、床スラブ５の上方位置に離間して配設した床材６の床下地材７を載置して釘等の固着具８で固定する床受け材３と、上記床受け材３を載置して支持した弾性材２と、床スラブ５に立設してその上端で上記弾性材２を支持した脚部４とでなる二重床の支持脚において、弾性材２の上部に床受け材３を乾式の嵌め込み構造で嵌合固定させる上嵌合部９を設けると共に、弾性材２の下部に脚部４の上端を乾式の嵌め込み構造で嵌合固定させる下嵌合部１０を設け、これら上下嵌合部９，１０に床受け材３及び脚部４の上端をスライド挿入可能にする側方開口９ａ，１０ａをそれぞれ形成したことを特徴とする。これによると、支持脚１の組立てにおける床受け材３の弾性材２への固定が乾式の嵌め込み構造で行われるものであって、これは、従来技術の湿式の接着剤を用いた床受け材３の弾性材２への固定と比べて接着剤を塗布したり接着剤を乾燥させたりする施工者に負担となったり煩雑である作業を無くするものであるから、支持脚１の組立て性の容易化を図り得るものであり、また、床受け材３は弾性材２に乾式固定されるので、一度弾性材２に床受け材３を固定しても容易に床受け材３の取替を行わせることができ、床受け材３の種類によって床材６の設置高さに変化をつけたりでき、床材設置施工における施工のバリエーションを増やして床材設置施工の施工性の向上を図ることができる。また、支持脚１の組立てが、床下地材７及び脚部４の上端を弾性材２の上下嵌合部９，１０にスライド挿入させることで行わせることができ、支持脚１の組立て性の容易化を図ることができる。
【０００６】
また、請求項２の二重床の支持脚は、請求項１において、上嵌合部９に嵌合した床受け材３を上下に挟持する上挟持片１１が弾性材２の上面に設けられると共に、下嵌合部１０に嵌合した脚部４の上端を上下に挟持する下挟持片１２が弾性材２の下面に設けられたことを特徴とする。これによると、上下挟持片１１，１２は弾性材２と床受け材３及び脚部４の上端とをそれぞれ上下方向に規制して固定させるものであって、つまり支持脚１は上下隙間無く確実に床下地材７を支持することができ、床材６の支持脚１からの浮き、これによる床鳴りの発生を防止できる。
【０００８】
また、請求項３の二重床の支持脚は、請求項１において、弾性材２の上嵌合部９には床受け材３を載置して弾接させる突起１３を複数個設けると共に、上記突起１３の突出高さに高低の寸法変化をつけたことを特徴とする。これによると、床受け材３にかかる下向き荷重の大きさに比例して床受け材３を支持する突起１３の個数に変化をつけることができ、つまり弾性材２の床受け材３との接触面積に変化をつけ得る構造になっていて、同一弾性材料で形成した弾性材２にあっても弾性具合に変化をつけて床受け材３を支持させることができ、しかして、弾性材２の有する軽量衝撃音の吸収効果や重量積載物に対する床面の沈み込み量の減少効果の向上を図ることができる。
【０００９】
また、請求項４の二重床の支持脚は、請求項１において、弾性材２をその縦断面を一定形状に形成したことを特徴とする。これによると、弾性材２を押出し成形で形成させることができ、弾性材２の製造性の向上を図ることができる。
【００１０】
また、請求項５の二重床の支持脚は、請求項１において、床受け材３の上下両面に突出高さを違えた突部１５，１６をそれぞれ設けると共に、上嵌合部９内に上記突部１５，１６を位置させる凹条部１７を設けたことを特徴とする。これによると、床受け材３を上下に反転させて弾性材２に固定することで、支持脚１による床下地材７の設置高さに変化をつけることができ、つまり２種類の床下地材７の設置高さを１個の床受け材３で設定することができ、しかして床材設置施工において使用される床受け材３の共通化が図り得るものであり、床材設置施工の施工性の向上を図ることができる。
【００１１】
【発明の実施の形態】
以下、本発明を添付図面に示す実施形態に基づいて説明する。
【００１２】
図１乃至図５に本発明の実施の形態の例を示す。床スラブ５との間に床下空間１８を形成させるように床スラブ５の上方位置に離間して床材６を配設した二重床にあって、上記床材６の床下地材７を支持する支持脚１は、上記床下地材７を載置して釘等の固着具８で固定する木質材から成る床受け材３と、上記床受け材３を載置して支持したゴム製の弾性材２と、床スラブ５に立設してその上端で上記弾性材２を支持した金属製の脚部４とで構成されている。
【００１３】
脚部４は、上下に面する水平板片１９をその上端に回転自在に固定した内筒２０と、床スラブ５の上面に接着剤を介して固定する外筒２１とで構成され、内筒２０の外周面に設けたおねじ部２０ａを外筒２１の内周面に設けためねじ部（図示せず）に螺合させて内筒２０を外筒２１に上下動自在にしてあり、そして、内筒２０に螺合させたナット部材２２を外筒２１の上端に向って下方に螺進させると共にナット部材２２を外筒２１の上端位置で締結させると、ダブルナット構造で内筒２０と外筒２１とが固定されるようになっており、しかして、脚部４はその高さ方向の長さが無段階に調節可能になっている。
【００１４】
また、弾性材２は、床スラブ５に固定された脚部４と床下地材７に固定された床受け材３との間に介在して各部材を連結させるものであって床材６の制振材として機能するものである。上述したように弾性材２には各部材（床受け材３，脚部４）が連結されるが、弾性材２の上部には床受け材３を嵌合固定させる上嵌合部９が設けられ、また、弾性材２の下部には脚部４の上端を構成する水平板片１９を嵌合固定させる下嵌合部１０が設けられている。詳述すると、この弾性材２は、図３に示すように、前後方向（矢印Ａ）に亙って縦断面が略Ｈ字状である一定形状に形成されたものである。具体的には、上下方向の中央部には略水平板状の主体板部２３が設けられ、上記主体板部２３の左右方向（矢印Ｂ）の両端縁部には側板部２４がそれぞれ設けられ、この側板部２４は主体板部２３の上面からは上方に突出すると共に主体板部２３の下面からは下方に突出するように形成されており、そして、この両側板部２４の上端縁からはそれぞれ対向方向に上挟持片１１が略水平に突設されると共に、この両側板部２４の下端縁からはそれぞれ対向方向に下挟持片１２が略水平に突設されている。ここで、両上挟持片１１と側板部２４と主体板部２３の上面とで囲まれた部分が上嵌合部９を構成し、また、両下挟持片１２と側板部２４と主体板部２３の下面とで囲まれた部分が上嵌合部９を構成する。つまり、この上下嵌合部９，１０は弾性材２の前後方向の両端縁にそれぞれ側方開口９ａ，１０ａを有しているものであり、また、上挟持片１１は上嵌合部９内に嵌合した床受け材３を上下に挟持するものであると共に、下挟持片１２は下嵌合部１０内に嵌合した脚部４の水平板片１９を上下に挟持するものである。また、本例の弾性材２にあっては、上嵌合部９内の主体板部２３の上面に前後方向に延伸して上方に突出する突起１３が左右方向に複数条並設されている。この突起１３は、その上端で上嵌合部９内に嵌合した床受け材３の下面に弾接して床材６の荷重がかかる床受け材３を支持するものであって、弾性材２の制振効果の向上を図ったものである。このように前後方向に一定の縦断面を有する弾性材２は押出し成形で形成させることができるものであって、弾性材２の製造の容易化を図っているものである。
【００１５】
また、床受け材３にあっては、上述したように床材６の床下地材７に固着具８で固定されると共に弾性材２の上嵌合部９に嵌合されるものであるが、これは、上嵌合部９内に位置されて左右方向の両端部で両上挟持片１１と主体板部２３とで挟持される主体部２５を有すると共に、両上挟持片１１の間にある上嵌合部９の上方開口から上方に突出するように主体部２５の上面から突設した突部１５を有して構成される縦断面凸状の木質材であり、つまり、突部１５の上面が床材６の床下地材７を載置して固着具８で固定されるのである。しかして、床材６の高さ設定は、上述した脚部４の高さ方向の長さ調節に加え、床受け材３の突部１５の高さ寸法によっても変化させることができるのである（図４）。なお、床受け材３と床下地材７との間にスペーサ２６を介在させることでも、床材６の設定高さに変化をつけることができるのは言うまでもない（図５）。なお、突部１５の高さ寸法を高く設定した床受け材３やスペーサ２６を用いることは、結果的に、床材６の設定高さの設定範囲を広げることになるのも言うまでもない。特に本例では、床受け材３は上述した弾性材２の上嵌合部９に乾式の嵌合構造で固定されるものであるから、従来技術にある床受け材３と弾性材２とが湿式の接着剤で固定されたものでは不可能であった一度弾性材２に床受け材３を固定した後での床受け材３の取替を可能とするものであり、しかして脚部４の高さ方向の長さ寸法を固定した状態を崩さずに弾性材２に床受け材３を固定した後で床材６の設定高さを変化させるには、従来技術では図５に示すスペーサ２６を用いて行わせる方法でしかできないものであったが、本例では上述したように高さ寸法の異なる突部１５を備えた床受け材３を取り替える方法によっても行わせることができ、床材設置施工におけるバリエーションを増やして施工性の向上を図ることもできるのである。
【００１６】
支持脚１は上述した脚部４、弾性材２、床受け材３を組立てることで形成されるものであるが、本例の支持脚１の組立ては、具体的に、弾性材２の上嵌合部９内に床受け材３を上嵌合部９の側方開口９ａから略水平の前後方向（矢印Ａ）にスライド挿入すると共に、弾性材２の下嵌合部１０に脚部４の水平板片１９を下嵌合部１０の側方開口１０ａから略水平の前後方向（矢印Ａ）にスライド挿入して行われる。そして、上嵌合部９内に位置された床受け材３はその左右方向の両端部で両上挟持片１１，１１によって上下方向に挟持されて固定されると共に、下嵌合部１０内に位置された脚部４の水平板片１９はその左右方向の両端部で両下挟持片１２，１２によって上下方向に挟持されて固定される。このように、支持脚１の組立ては弾性材２の上下嵌合部９，１０に床下地材７及び脚部４の水平板片１９をスライド挿入させることで行われることから、この支持脚１は組立て性の容易化が図られているのである。更に言うと、床受け材３や脚部４の水平板片１９の弾性材２への組込みは乾式の嵌め込み構造で行わせているので、従来技術において床受け材３の弾性材２への組込みが湿式の接着剤を用いて行われていたことと比較して、湿式の接着剤を塗布したり乾かしたりするといった施工者に負担であったり煩雑であったりする作業を無くしているものであって、床受け材３や脚部４の水平板片１９の弾性材２への組込みの容易化が図られ、ひいては支持脚１の組立て性の容易化が図られているのである。また、上述したように組立てられた支持脚１にあっては、弾性材２に対して床下地材７及び脚部４の水平板片１９が弾性材２に設けた上下挟持片１１，１２によって上下方向に挟持固定されたものであり、つまり、床下地材７及び脚部４の水平板片１９は弾性変形可能な弾性材２によって上下方向に規制を受けつつ固定されているものであって、しかして、この支持脚１を用いて床材設置施工を行った際には、支持脚１は床下地材７に固着具８で固定された床受け材３を上下隙間無く確実に支持できるものであり、床下地材７の支持脚１からの浮き、これによる床鳴りの発生を防止できるのである。
【００１７】
また、図６及び図７には本発明の実施の形態の他例を示す。この例は、先の実施の形態の例の弾性材２において、下嵌合部１０内の主体板部２３の下面にも前後方向に延伸して下方に突出する突起１４を左右方向に複数条並設させた例である。これによると、下嵌合部１０内に嵌合固定される脚部４の水平板片１９に突起１４を弾接させることができ、床受け材３と脚部４の水平板片１９とを連結させる弾性材２の制振効果の更なる向上を図ることができるのである。
【００１８】
また、図８及び図９には本発明の実施の形態の更に他例を示す。この例は、先の実施の形態の例の弾性材２において、上嵌合部９内の主体板部２３の上面に複数個設けた突起１３の突出高さに高低の寸法変化をつけた例である。詳述すると、主体板部２３の左右方向に並設された複数個の突起１３は、１組の同高さ寸法の突起１３を複数組設けて構成されている。本例では、上記複数個の突起１３は、主体板部２３の左右中央部分で対称になるように、左右端部側に位置した突起１３程その高さ寸法が高くなるように形成されている。
【００１９】
これによると、床受け材３にかかる下向き荷重の大きさに比例して床受け材３を支持する突起１３の個数に変化をつけることができ、つまり弾性材２の床受け材３との接触面積に変化をつけ得る構造になっており、同一弾性材料で形成した弾性材２にあってもばね係数に変化をつけて床受け材３を支持させることができるのである。ここで、床材６にかかる荷重を受ける床受け材３を支持する弾性材２において、柔らかい材質で構成したものにあっては、床面に物を落下させた際に発生する軽量衝撃音を吸収するといった有利な効果を有するも、床上に重量の大きい重量物が積載されると床面の沈み込み量が大きくなるといった欠点も有する。また、上記弾性材２において、硬い材質で構成したものにあっては、床上に重量の大きい重量物が積載されても床面の沈み込み量を小さくできるといった有利な効果を有するも、軽量衝撃音を吸収することができないといった欠点も有する。本例の弾性材２では、図９（ａ）に示すように、上嵌合部９材の上位に位置させるように複数個の突起１３のうち高さ寸法が高いもののみに床受け材３を支持させたものにあっては、弾性変形が行われ易い状態で床受け材３を支持することができ、軽量衝撃音の吸収効果を向上させることができ、また、図９（ｂ）に示すように、上嵌合部９材の下位に位置させるように複数個の突起１３の略全ての突起１３に床受け材３を支持させたものにあっては、弾性変形が行われにくい状態で床受け材３を支持することができ、床面の沈み込み量を小さくできる効果を向上させることができるのである。つまり、本例の弾性材２にあっては、床受け材３との接触面積に変化をつけ得ることで、上嵌合部９の上位に位置させた床受け材３をやわらかく支持すると共に上嵌合部９の下位に位置させた床受け材３を強固に支持するといった特性を顕著にすることができ、しかして、軽量衝撃音の吸収効果を向上させ、また重量積載物に対する床面の沈み込み量の減少効果を向上させることを可能にするものである。
【００２０】
また、図１０及び図１１には本発明の実施の形態の更に他例を示す。この例は、床受け材３の主体部２５の上下両面に高さ寸法を違えた突部１５，１６をそれぞれ設けると共に、上嵌合部９内に上記突部１５，１６を位置させ得る凹条部１７を設け、床受け材３を上下に反転させて上嵌合部９内に配置させることで、２種類の床下地材７の設置高さを１個の床受け材３で設定することができるようにした例である。詳述すると、この凹条部１７は、弾性材２の主体板部２３の上面に前後方向に亙って凹没させた溝状に形成されると共に、その凹没高さは上記床受け材３に設けた両突部１５，１６のうち高さ寸法が大きい方の突部１５の高さ寸法よりも大きく形成され、上記凹条部１７に床受け材３の両突部１５，１６がスライド挿入できるようになっている。
【００２１】
これによると、床下地材７を同高さに設置する場合には、図１０に示すように、各支持脚１は両突部１５，１６を備えた各床受け材３を上下同方向にしてそれぞれの弾性材２の上嵌合部９に嵌合させる。また、フローリング材６ａで構成された床材６を載置する床下地材７と畳材６ｂで構成された床材６を載置する床下地材７とは、近年のバリアフリー工法に則して上下厚みが厚い畳材６ｂと上下厚みが薄いフローリング材６ａとの表面を同一高さにするために、各床下地材７の設置高さを異ならせて施工されることもある。このような場合には、図１１に示すように、畳材６ｂを載置させるために設置高さを低く設定した床下地材７を支持する支持脚１では、高さ寸法が小さい方の突部１６で床下地材７を受けるようにすると共に、高さ寸法が大きい方の突部１５を凹条部１７内に位置させて床受け材３を弾性材２の上嵌合部９に嵌合させ、また、フローリング材６ａを載置させるために設置高さを高く設定した床下地材７を支持する支持脚１では、高さ寸法が大きい方の突部１５で床下地材７を受けるようにすると共に、高さ寸法が小さい方の突部１６を凹条部１７内に位置させて床受け材３を弾性材２の上嵌合部９に嵌合させるのである。このように、上下両面に高さ寸法の異ならせた突部１５，１６をそれぞれ設けた床受け材３を有する本例の支持脚１にあっては、床受け材３を上下に反転させて上嵌合部９に設置することで、床下地材７の床スラブ５からの設置高さに変化をつけることができるものであり、つまり２種類の床材６の設置高さを１個の床受け材３で設定することができ、しかして、床材設置施工において高さ寸法の異なる多数種のスペーサ２６や上面のみに有した突部１５の高さ寸法が異なる多数種類の床受け材３を用いて行わなくてもよくなり、従って、床材設置施工の施工性の向上を図ることができるのである。
【００２２】
【発明の効果】
上記のように本発明の請求項１記載の二重床の支持脚にあっては、床スラブの上方位置に離間して配設した床材の床下地材を載置して釘等の固着具で固定する床受け材と、上記床受け材を載置して支持した弾性材と、床スラブに立設してその上端で上記弾性材を支持した脚部とでなる二重床の支持脚において、弾性材の上部に床受け材を乾式の嵌め込み構造で嵌合固定させる上嵌合部を設けると共に、弾性材の下部に脚部の上端を乾式の嵌め込み構造で嵌合固定させる下嵌合部を設け、これら上下嵌合部に床受け材及び脚部の上端をスライド挿入可能にする側方開口をそれぞれ形成したので、支持脚の組立てにおける床受け材の弾性材への固定が乾式の嵌め込み構造で行われるものであって、これは、従来技術の湿式の接着剤を用いた床受け材の弾性材への固定と比べて接着剤を塗布したり接着剤を乾燥させたりする施工者に負担となったり煩雑である作業を無くするものであるから、支持脚の組立て性の容易化を図り得るものであり、また、床受け材は弾性材に乾式固定されるので、一度弾性材に床受け材を固定しても容易に床受け材の取替を行わせることができ、従って、床受け材の種類によって床材の設置高さに変化をつけたりできるものであり、床材設置施工における施工のバリエーションを増やして床材設置施工の施工性の向上を図ることができるのである。また、支持脚の組立てを床下地材及び脚部を弾性材の上下嵌合部にスライド挿入させることで行わせることができ、従って、支持脚の組立て性の容易化を図ることができるのである。
【００２３】
また、請求項２の二重床の支持脚にあっては、請求項１の効果に加えて、上嵌合部に嵌合した床受け材を上下に挟持する上挟持片が弾性材の上面に設けられると共に、下嵌合部に嵌合した脚部の上端を上下に挟持する下挟持片が弾性材の下面に設けられたので、上下挟持片は弾性材と床受け材及び脚部の上端とをそれぞれ上下方向に規制して固定させるものであって、つまり支持脚は上下隙間無く確実に床下地材を支持することができ、従って床材の支持脚からの浮き、これによる床鳴りの発生を防止できるのである。
【００２５】
また、請求項３の二重床の支持脚にあっては、請求項１の効果に加えて、弾性材の上嵌合部には床受け材を載置して弾接させる突起を複数個設けると共に、上記突起の突出高さに高低の寸法変化をつけたので、床受け材にかかる下向き荷重の大きさに比例して床受け材を支持する突起の個数に変化をつけることができ、つまり弾性材の床受け材との接触面積に変化をつけ得る構造になっていて、同一弾性材料で形成した弾性材にあっても弾性具合に変化をつけて床受け材を支持させることができ、しかして、弾性材の有する軽量衝撃音の吸収効果や重量積載物に対する床面の沈み込み量の減少効果の向上を図ることができるのである。
【００２６】
また、請求項４の二重床の支持脚にあっては、請求項１の効果に加えて、弾性材をその縦断面を一定形状に形成したので、弾性材を押出し成形で形成させることができ、従って、弾性材の製造性の向上を図ることができるのである。
【００２７】
また、請求項５の二重床の支持脚にあっては、請求項１の効果に加えて、床受け材の上下両面に突出高さを違えた突部をそれぞれ設けると共に、上嵌合部内に上記突部を位置させ得る凹条部を設けたので、床受け材を上下に反転させて弾性材に固定することで、支持脚による床下地材の設置高さに変化をつけることができ、つまり２種類の床下地材の設置高さを１個の床受け材で設定することができ、しかして床材設置施工において使用される床受け材の共通化が図り得るものであり、床材設置施工の施工性の向上を図ることができるのである。
【図面の簡単な説明】
【図１】本発明の実施の形態の例の支持脚で床材を支持した状態を示す側面断面図である。
【図２】同上の支持脚の分解斜視図である。
【図３】同上の弾性材を示すものであり、（ａ）は上面図であり、（ｂ）は側面図である。
【図４】床下地材の高さ設定を説明する説明図であって、（ａ）は突部の高さ寸法を小さく形成した支持脚の側面図であり、（ｂ）は突部の高さ寸法を大きく形成した支持脚の側面図である。
【図５】床下地材の高さ設定を説明する説明図であって、床下地材と床受け材との間にスペーサを介在させる説明図である。
【図６】本発明の実施の形態の他例の支持脚を示す側面図である。
【図７】同上の弾性体を示すものであり、（ａ）は上面図であり、（ｂ）は側面図である。
【図８】本発明の実施の形態の更に他例の支持脚で床材を支持した状態を示す側面断面図である。
【図９】同上の床受け材の弾性材の上嵌合部への嵌合を説明するものであり、（ａ）は上嵌合部の上部に位置した床受け材を支持した状態を示す側面図であり、（ｂ）は上嵌合部の下部に位置した床受け材を支持した状態を示す側面図である。
【図１０】本発明の実施の形態の更に他例の支持脚で床材を同高さに設定した状態を示す側面断面図である。
【図１１】同上の支持脚で床材を異なる高さに設定した状態を示す側面断面図である。
【図１２】従来技術の支持脚で床材を支持した状態を示す側面断面図である。
【符号の説明】
１  支持脚
２  弾性材
３  床受け材
４  脚部
５  床スラブ
６  床材
７  床下地材
８  固着具
９  上嵌合部
１０  下嵌合部
１１  上挟持片
１２  下挟持片
１３  突起
１５  突部
１６  突部
１７  凹条部
【図１】
0003760861.tif 000002
【図２】
0003760861.tif 000003
【図３】
0003760861.tif 000004
【図４】
0003760861.tif 000005
【図５】
0003760861.tif 000006
【図６】
0003760861.tif 000007
【図７】
0003760861.tif 000008
【図８】
0003760861.tif 000009
【図９】
0003760861.tif 000010
【図１０】
0003760861.tif 000011
【図１１】
0003760861.tif 000012
【図１２】
0003760861.tif 000013